(57)【特許請求の範囲】
【請求項１】
位置情報と時差情報とを関連付けたローカルタイム情報、および、前記ローカルタイム情報のバージョン情報を記憶する記憶部と、
前記バージョン情報を表示可能なバージョン表示部と、
前記バージョン情報を前記バージョン表示部に表示させる表示制御部と、を備える
ことを特徴とする電子時計。
【請求項２】
請求項１に記載の電子時計において、
位置情報衛星から送信される衛星信号を受信する衛星信号受信部と、
前記衛星信号受信部によって受信された前記衛星信号に基づいて時刻情報を取得する時刻情報取得部と、
前記衛星信号受信部によって受信された前記衛星信号に基づいて位置情報を取得する位置情報取得部と、
前記位置情報に対応する時差情報を、前記ローカルタイム情報から取得する時差情報取得部と、
前記時差情報および前記時刻情報に基づいて表示時刻を算出する時刻算出部と、
前記表示時刻を表示する時刻表示部と、を備える
ことを特徴とする電子時計。
【請求項３】
請求項１または請求項２に記載の電子時計において、
手動操作を検出して位置情報を設定する入力部と、
標準電波を受信する標準電波受信部と、
前記標準電波受信部によって受信された前記標準電波に基づいて時刻情報を取得する時刻情報取得部と、
前記入力部で設定された前記位置情報を取得する位置情報取得部と、
前記位置情報に対応する時差情報を、前記ローカルタイム情報から取得する時差情報取得部と、
前記時差情報および前記時刻情報に基づいて表示時刻を算出する時刻算出部と、
前記表示時刻を表示する時刻表示部と、を備える
ことを特徴とする電子時計。
【請求項４】
請求項１から請求項３のいずれか１項に記載の電子時計において、
前記バージョン情報の表示指示操作を受け付ける操作部を備え、
前記表示制御部は、前記操作部が前記表示指示操作を受け付けた場合に、前記バージョン情報を表示させる
ことを特徴とする電子時計。
【請求項５】
請求項１から請求項４のいずれか１項に記載の電子時計において、
前記記憶部は、前記ローカルタイム情報および前記バージョン情報を書き換え可能に記憶している
ことを特徴とする電子時計。
【請求項６】
請求項１から請求項５のいずれか１項に記載の電子時計において、
前記ローカルタイム情報は、前記位置情報に対応する領域情報と、前記時差情報に対応し、前記領域情報の協定世界時に対する時差を示すタイムゾーン情報とを有し、
さらに、前記時差情報に対応し、タイムゾーンの変更予定を示すタイムゾーン変更情報、サマータイムオフセット情報、サマータイム開始情報、サマータイム終了情報、およびサマータイムの変更予定を示すサマータイム変更情報の少なくとも１つを含む
ことを特徴とする電子時計。
【請求項７】
請求項１から請求項６のいずれか１項に記載の電子時計において、
表示時刻を指示する複数の指針を有する時刻表示部を備え、
前記バージョン表示部は、前記時刻表示部で構成され、
前記表示制御部は、前記バージョン情報を指示する位置に前記指針を配置して前記時刻表示部に前記バージョン情報を表示させる
ことを特徴とする電子時計。
【請求項８】
位置情報と時差情報とを関連付けたローカルタイム情報、および、前記ローカルタイム情報のバージョン情報を記憶する記憶部と、
前記バージョン情報を表示可能なバージョン表示部と、
前記バージョン情報を前記バージョン表示部に表示させる表示制御部と、を備える
ことを特徴とする電子機器。
【発明の詳細な説明】
【技術分野】
【０００１】
本発明は、電子時計および電子機器に関する。
【背景技術】
【０００２】
従来、位置情報と、当該位置情報に対応する位置におけるＵＴＣ（Coordinated Universal Time）に対する時差やＤＳＴ（Daylight Saving Time）に関する情報等を含む時差情報とが対応付けられたローカルタイム情報を記憶し、当該ローカルタイム情報を用いて取得した位置情報に対応する時刻を算出する電子時計が知られている（例えば特許文献１）。
【先行技術文献】
【特許文献】
【０００３】
【特許文献１】特開２００９−１８０５２８号公報
【発明の概要】
【発明が解決しようとする課題】
【０００４】
ところで、上記ローカルタイム情報は、タイムゾーンの変更や、ＤＳＴの変更等に応じて変更されることがある。この変更に対応するために、電子時計に記憶されているローカルタイム情報を、例えば時計のメンテナンス時に更新することが考えられる。
【０００５】
しかしながら、特許文献１に記載の電子時計では、記憶されているローカルタイム情報が最新であるか否かを確認できないという課題がある。このため、電子時計をメンテナンス機器に接続して電子時計に記憶されているローカルタイム情報の内容を確認する作業が必要となり、ローカルタイム情報を更新する必要があるか否かの判別も容易に行うことができない。
【０００６】
本発明は、記憶されているローカルタイム情報のバージョン情報を容易に確認できる電子時計および電子機器を提供することを目的とする。
【課題を解決するための手段】
【０００７】
本発明の電子時計は、位置情報と時差情報とを関連付けたローカルタイム情報、および、前記ローカルタイム情報のバージョン情報を記憶する記憶部と、前記バージョン情報を表示可能なバージョン表示部と、前記バージョン情報を前記バージョン表示部に表示させる表示制御部と、を備えることを特徴とする。
【０００８】
本発明によれば、表示制御部は、記憶部に記憶されたバージョン情報を表示部に表示させる。
ここで、バージョン情報とは、例えば、ローカルタイム情報の版を示す数値等の情報であって、ローカルタイム情報の内容が変更された場合に、異なる情報が付与されるものである。例えば、２つのローカルタイム情報に、同一のバージョン情報が付与されていれば、当該２つのローカルタイム情報は内容が同一である。したがって、ユーザーやメンテナンス担当者は、バージョン情報を参照することで、当該２つのローカルタイム情報が同一か否かを判断できる。
このような構成では、ユーザーやメンテナンス担当者は、記憶部に記憶されているローカルタイム情報のバージョンを容易に確認することができる。これにより、ユーザーやメンテナンス担当者は、例えば、バージョン情報を参照して、ローカルタイム情報の更新の要否を容易に判別することができる。
【０００９】
本発明の電子時計において、位置情報衛星から送信される衛星信号を受信する衛星信号受信部と、前記衛星信号受信部によって受信された前記衛星信号に基づいて時刻情報を取得する時刻情報取得部と、前記衛星信号受信部によって受信された前記衛星信号に基づいて位置情報を取得する位置情報取得部と、前記位置情報に対応する時差情報を、前記ローカルタイム情報から取得する時差情報取得部と、前記時差情報および前記時刻情報に基づいて表示時刻を算出する時刻算出部と、前記表示時刻を表示する時刻表示部と、を備えることが好ましい。
【００１０】
本発明によれば、時刻情報取得部は衛星信号に基づいて時刻情報を取得する。位置情報取得部は衛星信号に基づいて位置情報を取得する。また、時差情報取得部は、位置情報取得部により取得された位置情報に対応する時差情報をローカルタイム情報から取得する。そして、時刻算出部は、前記時差情報と、前記時刻情報とに基づいて表示時刻を算出する。そして、表示制御部は、位置情報に対応する位置の現在時刻を時刻表示部に表示させる。このような構成では、上述のように最新のローカルタイム情報が提供された場合にローカルタイム情報の更新の要否を容易に判定でき、より確実に最新のバージョンに更新できる。したがって、衛星信号に基づいて位置情報および時刻情報を取得した場合に、現在地の現在時刻を正確に表示させることができる。
【００１１】
本発明の電子時計において、手動操作を検出して位置情報を設定する入力部と、標準電波を受信する標準電波受信部と、前記標準電波受信部によって受信された前記標準電波に基づいて時刻情報を取得する時刻情報取得部と、前記入力部で設定された前記位置情報を取得する位置情報取得部と、前記位置情報に対応する時差情報を、前記ローカルタイム情報から取得する時差情報取得部と、前記時差情報および前記時刻情報に基づいて表示時刻を算出する時刻算出部と、前記表示時刻を表示する時刻表示部と、を備えることが好ましい。
【００１２】
本発明によれば、時刻情報取得部は標準電波に基づいて時刻情報を取得する。位置情報取得部は、入力部で設定された位置情報を取得する。また、時差情報取得部は、位置情報取得部により取得された位置情報に対応する時差情報をローカルタイム情報から取得する。そして、時刻算出部は、前記時差情報と、前記時刻情報とに基づいて表示時刻を算出する。そして、表示制御部は、位置情報に対応する位置の現在時刻を時刻表示部に表示させる。このような構成では、上述のように最新のローカルタイム情報が提供された場合に、更新の要否を容易に判定でき、より確実にローカルタイム情報を最新のバージョンに更新できる。したがって、入力部での設定による位置情報に対応する場所の現在時刻を正確に表示させることができる。
【００１３】
本発明の電子時計において、前記バージョン情報の表示指示操作を受け付ける操作部を備え、前記表示制御部は、前記操作部が前記表示指示操作を受け付けた場合に、前記バージョン情報を表示させることが好ましい。
【００１４】
本発明によれば、表示制御部は、操作部が表示指示操作を受け付けた場合に、バージョン情報を表示させる。このような構成では、ユーザーやメンテナンス担当者は、操作部を操作することで、メンテナンス時等の所望のタイミングでバージョン情報を表示させることができる。したがって、バージョンを確認する際の利便性を向上させることができる。
【００１５】
本発明の電子時計において、前記記憶部は、前記ローカルタイム情報および前記バージョン情報を書き換え可能に記憶していることが好ましい。
【００１６】
本発明によれば、記憶部は、ローカルタイム情報およびバージョン情報を書き換え可能に記憶している。このような構成では、記憶部は、ローカルタイム情報およびバージョン情報のみを書き換えることができ、例えば、記憶部に記憶された他のデータ（例えば、電子時計を駆動させるための設定情報等）を同時に書き換える構成と比べて、書き換え量を低減でき、作業効率を向上させることができる。
【００１７】
本発明の電子時計において、前記ローカルタイム情報は、前記位置情報に対応する領域情報と、前記時差情報に対応し、前記領域情報の協定世界時に対する時差を示すタイムゾーン情報とを有し、さらに、前記時差情報に対応し、タイムゾーンの変更予定を示すタイムゾーン変更情報、サマータイムオフセット情報、サマータイム開始情報、サマータイム終了情報、および、サマータイムの変更予定を示すサマータイム変更情報の少なくとも１つを含むことが好ましい。
【００１８】
ここで、タイムゾーン情報は、ＵＴＣに対する時差を示す情報である。また、タイムゾーン変更情報は、タイムゾーン情報の変更日時や、変更後のＵＴＣに対する時差等の変更予定を示す情報である。また、サマータイムオフセット情報（ＤＳＴオフセット情報）は、夏時間のオフセット値を示す情報である。また、サマータイム開始情報（ＤＳＴ開始情報）は、夏時間の開始時期を示す情報である。また、サマータイム終了情報（ＤＳＴ終了情報）は、夏時間の終了時期を示す情報である。また、サマータイム変更情報（ＤＳＴ変更情報）は、夏時間の設定が変更される日時や、変更後のオフセット値等の変更予定を示す情報である。
本発明では、ローカルタイム情報は、領域情報、および時差情報に対応するタイムゾーン情報を有し、さらに、時差情報として、タイムゾーン変更情報、ＤＳＴオフセット情報、ＤＳＴ開始情報、ＤＳＴ終了情報、およびＤＳＴ変更情報の少なくとも１つを含む。これら各情報は、例えば、タイムゾーンや夏時間の変更に応じて変更される。したがって、表示部にバージョン情報を表示させることにより、各情報の変更があった際でも、記憶部に記憶されているローカルタイム情報が変更に対応しているか否かを容易に判別できる。
【００１９】
本発明の電子時計において、表示時刻を指示する複数の指針を有する時刻表示部を備え、前記バージョン表示部は、前記時刻表示部で構成され、前記表示制御部は、前記バージョン情報を指示する位置に前記指針を配置して前記時刻表示部に前記バージョン情報を表示させることが好ましい。
【００２０】
本発明では、複数の指針を有する時刻表示部が、バージョン表示部を構成している。そして、表示制御部は、バージョン情報を指示する位置に指針を移動することで、時刻表示部に表示させる。例えば、指針として時針と分針とを有し、バージョン情報が、Ｖｅｒ．２．３５を示す場合、２時３５分の位置に指針を移動することで、バージョン情報を表示させる。このように、指針の位置とバージョン情報とを対応付けることにより、バージョン情報を表示させるための表示部を別に設けることなく、バージョン情報を容易に視認させることができる。
【００２１】
本発明の電子機器は、位置情報と時差情報とを関連付けたローカルタイム情報、および、前記ローカルタイム情報のバージョン情報を記憶する記憶部と、前記バージョン情報を表示可能なバージョン表示部と、前記バージョン情報を前記バージョン表示部に表示させる表示制御部と、を備えることを特徴とする。
【００２２】
本発明によれば、前記電子時計に係る発明と同様に、表示制御部は、記憶部に記憶されたバージョン情報をバージョン表示部に表示させるため、ユーザーやメンテナンス担当者は、記憶部に記憶されているローカルタイム情報のバージョンを容易に確認することができる。したがって、ローカルタイム情報が最新ではないにも関わらず、更新作業が実施されないという不具合や、ローカルタイム情報が最新であるにも関わらず不要な更新作業が実施されることを抑制できる。
【図面の簡単な説明】
【００２３】
【図１】本発明の第１実施形態に係る電子時計を示す概略図。
【図２】第１実施形態に係る電子時計の回路構成を示す概略図。
【図３】ＲＡＭに記憶されたデータの構成を示す図。
【図４】Flash ROMに記憶されたデータの構成を示す図。
【図５】第１実施形態におけるローカルタイム情報の一例を示す図。
【図６】時差情報の変更履歴の概略を示す図。
【図７】第１実施形態に係る電子時計の制御装置の概略構成を示すブロック図。
【図８】第１実施形態に係る電子時計のバージョン表示処理を示すフローチャート。
【図９】第１実施形態に係る電子時計のバージョン表示態様の一例を示す図。
【図１０】第２実施形態に係る電子時計の回路構成を示す概略図。
【図１１】第２実施形態におけるローカルタイム情報の一例を示す図。
【図１２】第２実施形態に係る電子時計の制御装置の概略構成を示すブロック図。
【発明を実施するための形態】
【００２４】
以下、本発明の具体的な実施形態を図面に基づいて説明する。
［第１実施形態］
図１は、本発明に係る電子時計１を示す概略図である。
電子時計１は、ＧＰＳ衛星信号受信装置付きの腕時計である。この電子時計１は、図１に示すように、文字板２および指針３からなるアナログ表示装置を備える。指針３は、時針４、分針５および秒針６を備えて構成され、ステップモーターで歯車を介して駆動される。
また、電子時計１には、入力装置（外部操作部材）としてボタン７およびリューズ８が設けられている。
なお、文字板２の一部には開口が形成され、ＬＣＤ表示パネル等からなるディスプレイ（デジタル表示装置）を組み込んでもよい。
【００２５】
そして、電子時計１は、地球の上空を所定の軌道で周回している複数のＧＰＳ衛星９からの衛星信号を受信して衛星時刻情報を取得し、内部時刻情報を修正できるように構成されている。
なお、ＧＰＳ衛星９は、本発明における位置情報衛星の一例であり、地球の上空に複数存在している。現在は約３０個のＧＰＳ衛星９が周回している。
【００２６】
［電子時計の回路構成］
図２は電子時計１の主な回路構成を示す図である。
電子時計１は、図２に示すように、衛星信号受信部としてのＧＰＳ装置（ＧＰＳモジュール）１０、制御装置（ＣＰＵ）２０、記憶装置３０、操作部としての入力装置４０、時刻表示部およびバージョン表示部としての表示装置５０を備えている。これらの各装置は、データバス６０を介してデータを通信している。
なお、電子時計１は、電源となる電池を内蔵している。電池は一次電池でもよいし、充電可能な二次電池でもよい。
【００２７】
［ＧＰＳ装置の構成］
ＧＰＳ装置１０は、ＧＰＳアンテナ１１を備え、ＧＰＳアンテナ１１を介して受信した衛星信号を処理して時刻情報や位置情報を取得するものである。
ＧＰＳアンテナ１１は、地球の上空を所定の軌道で周回している複数のＧＰＳ衛星９からの衛星信号を受信する。このＧＰＳアンテナ１１は、例えば文字板２の外周に沿って配置されるリングアンテナや、文字板２の裏面側に配置されるパッチアンテナで構成されている。
【００２８】
そして、ＧＰＳ装置１０は、ＧＰＳ衛星９から送信される衛星信号を受信してデジタル信号に変換するＲＦ（Radio Frequency）部１０１と、受信信号の相関判定を実行して航法メッセージを復調するＢＢ部（ベースバンド部）１０２と、ＢＢ部１０２で復調された航法メッセージ（衛星信号）に基づいて時刻情報や測位情報を取得する情報取得部１０３とを備える。
【００２９】
ＲＦ部１０１は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。
そして、バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣ（Ａ／Ｄ変換器）でデジタル信号に変換される。
【００３０】
ＢＢ部１０２は、ＧＰＳ衛星９で送信時に使用されたものと同一のＣ／Ａコードからなるローカルコードを生成するローカルコード生成部と、前記ローカルコードとＲＦ部１０１から出力される受信信号との相関値を算出する相関部とを備える。
そして、前記相関部で算出された相関値が所定の閾値以上であれば、受信した衛星信号に用いられたＣ／Ａコードと生成したローカルコードが一致していることになり、衛星信号を捕捉（同期）することができる。このため、受信した衛星信号を、前記ローカルコードを用いて相関処理することで、航法メッセージを復調することができる。
【００３１】
情報取得部１０３は、ＢＢ部１０２で復調した航法メッセージから時刻情報を取得する時刻情報取得部１０４と、同様に上記航法メッセージから位置情報を生成して取得する位置情報取得部１０５とを備える。すなわち、ＧＰＳ衛星９から送信される航法メッセージには、プリアンブルデータおよびＨＯＷ（Hand Over Word）のＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星９毎の詳細な軌道情報）や、アルマナック（全ＧＰＳ衛星９の概略軌道情報）などのデータが含まれている。
したがって、情報取得部１０３の時刻情報取得部１０４は、受信した航法メッセージから所定のデータ部分を抽出し、時刻情報を取得しており、位置情報取得部１０５は、同様に、航法メッセージから位置情報を生成して取得している。
【００３２】
［入力装置および表示装置の構成］
入力装置４０は、外部操作部材としてボタン７およびリューズ８で構成されている。なお、入力装置４０は、後に詳述するが、バージョン情報を表示させる際の表示指示操作を受け付ける操作部として機能する。
表示装置５０は、ステップモーターおよび輪列で駆動されて時刻を表示する指針３および文字板２を備えている。
【００３３】
［記憶装置の構成］
記憶装置３０は、ＲＡＭ３１およびFlash ROM３２を備える。
ＲＡＭ３１には、図３に示すように、時刻データやタイムゾーンデータなどが記憶される記憶領域が設けられている。すなわち、ＲＡＭ３１には、受信時刻データ３１１と、閏秒更新データ３１２と、内部時刻データ３１３と、時計表示用時刻データ３１４と、時差データ３１５とが記憶される領域が設けられている。
受信時刻データ３１１には、ＧＰＳ衛星信号から取得した時刻情報（ＧＰＳ時刻）が記憶される。閏秒更新データ３１２には、少なくとも現在の閏秒のデータが記憶される。すなわち、ＧＰＳ衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ３１２に記憶している。
【００３４】
内部時刻データ３１３には、内部時刻情報が記憶される。そして、ＧＰＳ衛星信号を受信して受信時刻データ３１１が更新された場合には、この受信時刻データ３１１に記憶されたＧＰＳ時刻と、閏秒更新データ３１２に記憶している「現在の閏秒」とによって内部時刻データ３１３が更新される。すなわち、内部時刻データ３１３には、ＵＴＣ（協定世界時）が記憶されることになる。
内部時刻データ３１３は、通常は図示しない発振回路から出力される１Ｈｚの基準信号によって１秒毎に更新され、衛星信号を受信して時刻情報を取得した場合には、取得した時刻情報によって修正される。したがって、内部時刻データ３１３には現在のＵＴＣが記憶されている。
【００３５】
時計表示用時刻データ３１４には、前記内部時刻データ３１３の内部時刻情報に、時差データ３１５を加味した時刻データが記憶される。時差データ３１５は、ＵＴＣに対する時差を示す時差情報であり、後述するローカルタイム情報（図５参照）に基づいて取得される。
【００３６】
図４は、Flash ROM３２に記憶されたデータの構成の一例を示す図である。
Flash ROM３２は、制御装置２０で実行するプログラムや、プログラムの実行時に用いられるデータを記憶している。より具体的には、Flash ROM３２は、図４に示すように、電子時計１を駆動させるためのシステム設定情報３３や受信設定情報３４の他、後述するローカルタイム情報３５や、ローカルタイム情報３５のバージョン（版）を示すバージョン情報３６が、所定のアドレスにそれぞれ記憶されている。Flash ROM３２によって本発明の記憶部が構成されている。
Flash ROM３２は書き換え可能であるため、ローカルタイム情報３５やバージョン情報３６も更新可能とされている。なお、Flash ROM３２に代えて、ＥＥＰＲＯＭ等のデータを書き換え可能な各種メモリを用いることができる。
【００３７】
なお、システム設定情報３３は、例えば、指針位置の定義情報である。また、後述するように、本実施形態では、前記バージョン情報３６に基づいてローカルタイム情報３５のバージョンを表示装置５０に表示させる。したがって、Flash ROM３２には、バージョン情報３６に対応する指針３の位置もシステム設定情報３３として記憶されている。
受信設定情報３４は、ＧＰＳ装置１０の受信処理における、衛星信号の自動受信間隔や、衛星信号を捕捉できない場合などに受信処理を終了するまでのタイムアウト時間等である。
【００３８】
［ローカルタイム情報］
図５は、ローカルタイム情報３５のデータ構成の一例を示す図である。
Flash ROM３２に記憶されたローカルタイム情報３５は、位置情報である領域情報３５１と、時差情報３５２とが対応付けられている。
この時差情報３５２は、領域情報３５１として記憶された各領域において、ＵＴＣに対する時差を取得するための情報であり、タイムゾーン情報３５２１と、タイムゾーン変更情報３５２２と、ＤＳＴオフセット情報３５２３と、ＤＳＴ開始情報３５２４と、ＤＳＴ終了情報３５２５と、ＤＳＴ変更情報３５２６とを含む。
【００３９】
領域情報３５１は、地理情報を複数の領域に分割した際の各領域を示す情報である。各領域は、例えば、東西および南北方向の各長さが１０００〜２０００ｋｍ程度の矩形形状の領域である。なお、地理情報とは、タイムゾーンを有する地図情報である。領域情報３５１としては、各領域を特定するための座標データが記憶されている。すなわち、矩形形状の領域であれば、例えば、左上の座標（経度、緯度）と、領域の右下の座標（経度、緯度）とで領域を特定できるため、これらの２点の座標が記憶されている。
【００４０】
タイムゾーン情報３５２１は、各領域におけるＵＴＣに対するタイムゾーンを示す。
タイムゾーン変更情報３５２２は、タームゾーンの変更予定を示す情報であり、各領域においてタイムゾーンが変更される日時や、タイムゾーン変更後のＵＴＣに対する時差を示す。例えば、図５に示すように、領域２では、２０１４年１０月２６日の午前２時以降に、ＵＴＣに対する時差が＋８時間から＋９時間に変更されることを示している。
【００４１】
ＤＳＴオフセット情報３５２３は、各領域における夏時間（サマータイム）のオフセット値を示す。
ＤＳＴ開始情報３５２４は、各領域における夏時間の開始時期を示し、ＤＳＴ終了情報３５２５は、各領域における夏時間の終了時期を示す。
ＤＳＴ変更情報３５２６は、ＤＳＴの変更予定を示す情報であり、各領域における夏時間の設定が変更される日時や、変更後のオフセット値等を示す。
例えば、図５に示すように、領域３では、３月最終日曜から１０月最終日曜の期間においてＤＳＴのオフセット値を＋１とし、２０１５年以降ではＤＳＴのオフセット値を０とすることを示している。
【００４２】
ここで、図６は、時差情報の変更履歴の一例を示す図である。
図６に示すように、時差情報であるタイムゾーン情報や夏時間に係る情報が変更されると、当該変更に応じて、新たなローカルタイム情報が作成される。そして、作成されたローカルタイム情報に対して、新たなバージョン情報が付与される。このバージョン情報は、例えば、ローカルタイム情報のバージョンを、数値や文字や記号等に対応させて表示させるための情報である。なお、ローカルタイム情報は、タイムゾーンや夏時間が変更される毎に新たに作成されてもよいし、所定期間が経過した場合や、所定のタイムゾーンに係る変更があった場合等の、所定の取り決めに応じて新たに作成されてもよい。
このように、タイムゾーンや夏時間の変更に応じて、ローカルタイム情報を適宜更新することにより、各領域において、ＵＴＣに対する時差をより正確に取得することができる。
また、Flash ROM３２に記憶されているローカルタイム情報３５に付与されたバージョン情報３６を参照することで、当該ローカルタイム情報３５が、最新のローカルタイム情報と同一のバージョン、すなわち最新バージョンか否かを容易に判別できる。
さらに、
バージョン情報３６に基づいて、最終更新時期や更新内容等を知ることができる。
【００４３】
このようなローカルタイム情報３５は、製造時や出荷時にFlash ROM３２に記憶される。また、ローカルタイム情報３５は、例えばメンテナンス時に、最新のバージョンに更新される。データの更新の際は、ローカルタイム情報３５に含まれる全データを置換してもよいし、変更箇所を含む一部のデータを置換してもよい。また、Flash ROM３２に記憶されている、ローカルタイム情報３５を含む全データを置換してもよい。
なお、電子時計１が、ＰＣ等の外部機器と通信可能に構成されている場合、データの変更に応じて、ユーザーが、更新作業を実施可能としてもよい。
【００４４】
［制御装置の構成］
図７は、制御装置２０の概略構成を示すブロック図である。
制御装置２０は、図７に示すように、受信制御手段２１、時差情報取得部としての時差情報取得手段２２、時刻算出部としての時刻算出手段２３、および、表示制御部としての表示制御手段２４を備える。この制御装置（ＣＰＵ）２０は、Flash ROM３２に記憶されたプログラムにより各種の演算、制御および計時を行う。なお、計時は、例えば、発振回路からの基準信号を計数することによって行われる。
【００４５】
受信制御手段２１は、ボタン７やリューズ８などの入力装置４０によって受信指示操作が行われたことを入力装置４０からの信号で検出すると、ＧＰＳ装置１０を駆動制御して衛星信号の受信処理を実行する。
さらに、受信制御手段２１は、ＧＰＳ装置１０の時刻情報取得部１０４で取得した時刻情報を受信時刻データ３１１に記憶する。
【００４６】
時差情報取得手段２２は、ＧＰＳ装置１０の位置情報取得部１０５によって取得された位置情報（経度・緯度）に対応する時差情報３５２を、ローカルタイム情報３５から取得する。具体的には、時差情報取得手段２２は、位置情報が示す座標から、当該位置情報に対応する領域を特定し、特定された領域に対応する時差情報３５２を取得する。
【００４７】
時刻算出手段２３は、ＧＰＳ装置１０で取得した時刻情報（受信時刻データ３１１）と、閏秒更新データ３１２とで内部時刻データ３１３を更新し、さらに内部時刻データ３１３と時差情報３５２とに基づいて、表示時刻である現地の現在時刻（地方時）を算出する。したがって、時計表示用時刻データ３１４は、この算出された現在時刻に更新される。
すなわち、時刻算出手段２３は、現在位置に対応する領域に関連付けられた時差情報３５２に基づいてＵＴＣに対する時差を算出して時差情報を取得し、当該時差情報を用いて現在時刻を算出し、時計表示用時刻データ３１４を更新する。なお、算出された時差情報は、ＲＡＭ３１に時差データ３１５として記憶される。
【００４８】
表示制御手段２４は、時計表示用時刻データ３１４に基づいて、表示装置５０の指針３を駆動して時刻を表示する制御を行う。
なお、時刻情報の受信後は、発振回路からの基準信号で内部時刻データ３１３が更新されると、内部時刻データ３１３に時差データ３１５を加算することで時計表示用時刻データ３１４も更新され、表示装置５０の指針３も駆動される。
また、表示制御手段２４は、以下に説明するように、入力装置４０に対する入力操作に応じて、指針３を駆動してバージョン情報３６を表示する。
【００４９】
［バージョン表示処理］
次に、電子時計１のバージョン表示処理について、図８のフローチャートを参照して説明する。
図８に示すバージョン表示処理は、表示制御手段２４が、ユーザーによる所定の入力操作を受け付けたか否かを判定し（ステップＳ１）、所定の入力操作を受け付けた際に実施される。例えば、ボタン７が所定時間押下され続ける等の所定の入力操作が行われると、表示制御手段２４は、所定の入力操作を受け付けたと判定する。
【００５０】
表示制御手段２４は、所定の入力操作を受け付けたと判定すると、ローカルタイム情報３５のバージョン情報３６をFlash ROM３２から取得する（ステップＳ２）。
そして、表示制御手段２４は、取得したバージョン情報３６に応じた位置に指針３を移動させ、表示装置５０にバージョン情報３６を表示させる（ステップＳ３）。
【００５１】
図９は、バージョン情報３６の表示態様の一例を示す図である。
図９では、時針４および分針５によりバージョン情報を表示している。具体的には、例えば、バージョン情報がＶｅｒ．２．３５である場合、表示制御手段２４は、Flash ROM３２に記憶された上記システム設定情報３３（図３参照）に基づいて、２時３５分を示す位置に時針４および分針５が移動させる。この場合、バージョン情報の整数部分を時針４で指示し、バージョン情報の小数点部分を分針５で指示している。
【００５２】
なお、バージョンの表示は、時針４および分針５以外に、例えば、秒針６で行ってもよいし、秒針６および分針５で行ってもよい。例えば、秒針６で行う場合、例えば、Ｖｅｒ．１を１秒位置で、Ｖｅｒ．５を５秒位置で表示する。また、分針５および秒針６で行う場合、例えば、Ｖｅｒ２．３５は、２分３５秒として表示する。
【００５３】
図８に戻り、表示制御手段２４は、バージョン情報３６を表示させた後、所定時間経過したか否かを判定する（ステップＳ４）。
所定時間が経過している場合、表示制御手段２４は、表示装置５０によるバージョン表示処理を終了させて、例えば、現在時刻を表示させる。
【００５４】
一方、ステップＳ４において、所定時間が経過していない場合、表示制御手段２４は、入力装置４０に対する入力操作を受け付けたか否かを判定する（ステップＳ５）。入力操作としては、例えば、バージョン情報の表示終了を指示する操作や、他の処理の実行を指示する操作である。
ステップＳ５において、表示制御手段２４は、入力操作を受け付けたと判定した場合、バージョン表示処理を終了させる。その後、制御装置２０は、受け付けた操作に応じた処理を行う。
一方、ステップＳ５において、表示制御手段２４は、入力操作を受け付けていないと判定した場合、ステップＳ４の処理を実行する。
【００５５】
［第１実施形態の効果］
このような本実施形態によれば、次のような効果がある。
（１）電子時計１では、ユーザーやメンテナンス担当者が所定の操作を行うことで、表示装置５０にローカルタイム情報３５のバージョン情報３６を表示できる。このため、ユーザーやメンテナンス担当者は、記憶されているローカルタイム情報３５のバージョンを容易に確認することができる。これにより、ユーザーやメンテナンス担当者が、ローカルタイム情報３５が最新のバージョンではない場合に、更新作業を行う必要があることを容易に認識することができる。したがって、更新作業が必要にも関わらず、更新作業が実施されないという不具合の発生を抑制できる。また、ローカルタイム情報３５が最新であるにも関わらず、最新であることが認識できないことにより、不要な更新作業が実施されることを抑制でき、作業効率を向上させることができる。
【００５６】
（２）本実施形態では、時刻算出手段２３は、ＧＰＳ衛星９から送信される衛星信号に含まれる位置情報と、衛星信号に含まれる時刻情報と、ローカルタイム情報３５とを用いて、当該位置情報に対応する現在位置の時刻を算出する。そして、表示制御手段２４は、位置情報に対応する現在位置の時刻を表示装置５０に表示させる。このような構成では、ユーザーは、記憶されているローカルタイム情報３５が最新のバージョンであるか否かを容易に確認でき、表示装置５０の表示時刻が最新のローカルタイム情報３５に基づいて算出されたものであるかを容易に判定できる。
【００５７】
（３）Flash ROM３２は、ローカルタイム情報３５およびバージョン情報３６を書き換え可能に記憶している。このような構成では、Flash ROM３２に記憶されたデータのうち、ローカルタイム情報３５およびバージョン情報３６のみを書き換えることができ、例えば、Flash ROM３２に記憶されたシステム設定情報３３等の他のデータも同時に書き換える構成と比べて、書き換え量を低減でき、作業効率を向上させることができる。
さらに、ローカルタイム情報３５を記憶する記憶部と、システム設定情報３３や受信設定情報３４を記憶する記憶部とを同じFlash ROM３２に記憶しているので、ローカルタイム情報３５を記憶する専用の記憶部を設ける必要が無く、コストを低減できる。
【００５８】
（４）ローカルタイム情報３５は、位置情報に対応する領域情報およびタイムゾーン情報３５２１を有し、さらに、タイムゾーン変更情報３５２２、ＤＳＴオフセット情報３５２３、ＤＳＴ開始情報３５２４、ＤＳＴ終了情報３５２５、およびＤＳＴ変更情報３５２６を有する。これら各情報は、タイムゾーンや夏時間の変更に応じて変更される。したがって、本実施形態のように、バージョン情報３６を表示させることにより、各情報の変更があった際でも、記憶されているローカルタイム情報３５が変更に対応しているか否かを容易に判定できる。
【００５９】
（５）時刻を表示する表示装置５０を用いてバージョン情報３６を表示できるため、バージョン表示用の専用の表示装置を別に設けることなくバージョンを表示できる。したがって、バージョン表示用の表示装置を設けることによる、コストの増大を抑制できる。また、デザインが制限されることで、美観を損ねることを抑制できる。
特に、時刻を表示する複数の指針３と、この指針３で時刻を指示する目盛によってバージョン情報３６を表示できるので、バージョン情報３６を表示するための専用の指針や目盛を別に設けることなく、バージョンを容易に視認させることができる。
【００６０】
［第２実施形態］
次に、本発明の第２実施形態について図１０〜１２に基づいて説明する。なお、以下の実施形態において、前述した他の実施形態と同一または同様の構成については、同一符号を付し、説明を省略または簡略する。
第２実施形態の電子時計は、標準電波を受信して現在時刻を算出する電波修正時計である。具体的には、電波修正時計は、数１０ｋＨｚ程度の周波数の搬送波として時刻情報を送る長波標準電波を受信し、当該標準電波に基づいて修正した内部時刻を表示する。この電波修正時計は、第１実施形態の電子時計１と同様に、文字板２と、時針４、分針５および秒針６を含む指針３とからなるアナログ式の表示装置５０を備える。また、電波修正時計は、ボタン７およびリューズ８を含む入力装置４０を備える。
【００６１】
図１０は、本実施形態の電波修正時計の回路構成を示す概略図である。
図１０に示すように、電波修正時計１Ａは、標準電波受信部としての受信装置１０Ａ、制御装置（ＣＰＵ）２０Ａ、記憶装置３０、入力装置４０、表示装置５０を備え、これら各部材がデータバス６０によって接続されている。受信装置１０Ａは、アンテナ１１Ａを備え、アンテナ１１Ａを介して標準電波を受信する。
本実施形態においても、記憶装置３０は、ＲＡＭ３１およびFlash ROM３２を備える。このFlash ROM３２には、ローカルタイム情報が書き換え可能に記憶されている。
【００６２】
［ローカルタイム情報］
図１１は、ローカルタイム情報のデータ構成の一例を示す図である。
ローカルタイム情報３７は、図１１に示すように、位置情報３７１として、都市コード３７１１と、各都市コード３７１１に対応する都市名３７１２とを有する。また、位置情報３７１に関連付けられた時差情報３７２として、タイムゾーン情報３７２１と、ＤＳＴオフセット情報３７２２と、ＤＳＴ開始情報３７２３と、ＤＳＴ終了情報３７２４とを有する。
【００６３】
タイムゾーン情報３７２１は、都市コード３７１１が示す各都市における、ＵＴＣに対するタイムゾーンを示す。また、ＤＳＴオフセット情報３７２２、ＤＳＴ開始情報３７２３、およびＤＳＴ終了情報３７２４は、それぞれ、都市コード３７１１が示す各都市における、夏時間のオフセット値、夏時間の開始時期、夏時間の終了時期を示す。
【００６４】
［受信装置の構成］
受信装置１０Ａは、制御装置２０から出力される制御信号に基づいて、アンテナ１１Ａを介して長波標準電波を受信し、その受信信号を復調する受信処理部１０６と、復調された信号を処理して時刻情報を取得する時刻情報取得部１０７とを備える。
【００６５】
受信処理部１０６は、受信信号を復調する他、日本、欧州（ドイツ、イギリス）、北米のそれぞれの地域で送信されている各種の標準電波の種別を判別する。受信処理部１０６は、受信した標準電波の種別を示す種別情報を制御装置２０に出力する。
具体的には、日本の福島長波局の標準電波ＪＪＹ４０や、ドイツの標準電波ＤＣＦ７７は、他の標準電波と周波数が異なるため、受信周波数を特定することで種別を判別できる。また、日本の九州長波局から送信される標準電波ＪＪＹ６０と、アメリカの標準電波ＷＷＶＢと、イギリスの標準電波ＭＳＦは、それぞれ６０ｋＨｚの電波である。このため、受信周波数を６０ｋＨｚに設定して標準電波を受信した場合、タイムコードを解析することで、電波の種類を判別できる。なお、種別情報から、受信した標準電波が受信可能な位置に対応する位置情報を取得できる。
【００６６】
時刻情報取得部１０７は、復調した信号を処理して、時刻情報を取得するとともに、正しい時刻情報が得られているかを判断する。なお、標準電波は、１分間で１つの時刻情報を設定しているため、数分間連続して受信処理を行ってフルコードの時刻情報を複数取得し、各時刻情報同士が１分間隔の時刻データであるかを照合することなどで正しい時刻情報が受信できているかを判定できる。時刻情報取得部１０７は、このような判定処理を行い、正しい時刻情報が得られていれば、その結果を制御装置２０に出力する。これにより、ＲＡＭ３１の内部時刻データ３１３が更新される。一方、正しい時刻情報が得られなかった場合、受信に失敗したことを制御装置２０に出力する。
【００６７】
［制御装置の構成］
図１２は、制御装置２０Ａの概略構成を示すブロック図である。
制御装置（ＣＰＵ）２０Ａは、Flash ROM３２に記憶されたプログラムにより各種の演算、制御および計時を行う。この制御装置２０Ａは、図１２に示すように、受信制御手段２１Ａ、時差情報取得手段２２Ａ、時刻算出手段２３Ａ、表示制御手段２４、および地域設定手段２５を備える。
【００６８】
受信制御手段２１Ａは、受信装置１０Ａに制御信号を出力して受信動作を制御する。通常は、内部時刻が予め設定された受信処理時刻（例えば、午前２時など）になると、受信装置１０Ａに受信動作を行わせる。
また、受信制御手段２１Ａは、時刻情報取得部１０７から受信結果が入力される。受信制御手段２１Ａは、時刻情報取得部１０７から入力された受信結果が、受信失敗であった場合、予め設定された時間経過後に、再度受信処理を実施させる処理なども行う。
さらに、受信制御手段２１Ａは、時刻情報取得部１０７から時刻情報が入力されると、その時刻情報によって内部時刻データを更新する。内部時刻の更新後は、更新された内部時刻が基準信号に基づいて更新される。
なお、受信制御手段２１Ａは、受信した標準電波の時刻をそのまま内部時刻データとして更新してもよいし、ＵＴＣに変換して内部時刻データを更新してもよい。
【００６９】
なお、受信制御手段２１Ａは、後述する地域設定手段２５により設定された地域情報を参照し、受信装置１０Ａに対してどの標準電波を受信するのかを指示してもよい。例えば、電波修正時計１Ａが、ドイツ、日本、アメリカの各標準電波を受信できるように設計されている場合、受信制御手段２１Ａは、設定地域がパリであればドイツの標準電波ＤＣＦ７７を受信するように指示し、東京であれば日本の標準電波ＪＪＹを受信するように指示し、ニューヨークであればアメリカの標準電波ＷＷＶＢを受信するように指示する。このような構成では、受信電波の種別を判別する処理を行う必要がなく、処理負荷を軽減できる。
【００７０】
時差情報取得手段２２Ａは、地域設定手段２５により設定された地域情報に対応する領域の時差情報３７２を、ローカルタイム情報３７から取得する。
時刻算出手段２３Ａは、時差情報取得手段２２Ａが取得した時差情報３７２と、内部時刻データとに基づいて現地時刻を算出する。内部時刻データがＵＴＣで更新されている場合には、時刻算出手段２３Ａは、内部時刻データと時差情報３７２とで、地域設定手段２５により設定された地域の現地時刻を算出する。
また、内部時刻データが標準電波から取得した時刻情報である場合は、時刻算出手段２３Ａは、標準電波が示す時刻のＵＴＣに対する時差と、地域設定手段２５により設定された地域の時差情報３７２と、内部時刻データとに基づいて現地時刻を算出する。例えば、ＪＪＹ６０を受信して内部時刻データが日本標準時（ＵＴＣ＋９）で記憶されており、ユーザーが地域設定手段２５によりパリ（ＵＴＣ+１）を指定した場合は、内部時刻データ−８時間によりパリの現地時刻を算出する。
【００７１】
表示制御手段２４は、時刻算出手段２３Ａが算出した現地時刻を表示装置５０に表示する。
表示制御手段２４は、入力装置４０によってバージョン表示操作が行われた場合、指針３を駆動してバージョン情報３６を表示させる。
【００７２】
地域設定手段２５は、入力装置４０の操作に応じて、時刻表示対象の都市を示す地域情報を取得する。例えば、リューズ８を１段目に引き出して設定地域情報修正モードとし、リューズ８を回転して秒針６を移動し、秒針６の位置に応じて地域情報を設定する。例えば、秒針６によって「０秒」が指示された場合、地域情報として「ロンドン」（協定世界時）が設定される。また、秒針６によって「１〜１２秒」が指示された場合、この「ロンドン」から＋１〜＋１２時間の時差がある各地域が地域情報として設定される。なお、時計のベゼルに都市名を記載し、秒針６で指示することで地域情報を設定してもよい。
なお、地域設定手段２５は、受信処理部１０６から出力された標準電波の種別情報を取得して地域情報を設定してもよい。
地域設定手段２５は、設定された地域情報をＲＡＭ３１に記憶する。
このように、地域設定手段２５は、標準電波の種類や入力操作に応じて位置情報を取得する位置情報取得部として機能する。また、入力装置４０は、位置情報を設定する入力部として機能する。
【００７３】
［電波修正時計の動作の概要］
電波修正時計１Ａは、受信装置１０Ａにより標準電波を受信し、当該標準電波に含まれる時刻情報に基づいて内部時刻を更新する。また、電波修正時計１Ａは、標準電波の種別や、操作入力に応じて取得された地域情報に対応する都市を基準として、他の都市の現地時刻を算出し、表示する。
また、電波修正時計１Ａは、第１実施形態の電子時計１と同様に、ローカルタイム情報３７のバージョン情報３６を表示装置５０に表示させる。
【００７４】
［第２実施形態の効果］
本実施形態の電波修正時計１Ａにおいても、ローカルタイム情報３７のバージョン情報３６を容易に確認でき、前記第１実施形態と同様の作用効果を奏することができる。
【００７５】
［変形例］
なお、本発明は前述の実施形態に限定されるものではなく、本発明の目的を達成できる範囲での変形、改良等は本発明に含まれるものである。
例えば、前記実施形態では、バージョン情報３６の表示タイミングは、入力装置４０に対する所定の入力操作を受け付けたタイミングとする構成を例示したが、本発明はこれに限定されない。例えば、所定の時刻や、所定の電波を受信した場合等の所定のタイミングにバージョン情報３６を表示させてもよい。
【００７６】
前記各実施形態では、時刻を表示する表示装置５０にバージョン情報を表示させる構成を例示したが、本発明はこれに限定されない。例えば、バージョン表示用の表示装置を別に設けてもよい。
バージョン情報は前記実施形態の表記方式に限定されず、例えば、ローカルタイム情報の作成日付をバージョン情報としてもよい。例えば、２０１４年１月に作成されたローカルタイム情報のバージョン情報を「１４０１」と設定すればよい。このバージョン情報は、例えば、西暦の下二桁を時計の日付で表示し、月を時針などで表示すればよい。すなわち、バージョン情報が「１４０１」の場合、日窓から「１４」を表示し、時針で「１時」を指示すればよい。
【００７７】
ローカルタイム情報は、前記各実施形態の構成に限定されず、少なくとも、位置情報（領域情報）およびタイムゾーン情報を備えていればよい。
【００７８】
前記各実施形態では、バージョン情報３６は、ローカルタイム情報３５，３７の更新に応じて付与される構成を例示したが、本発明はこれに限定されない。例えば、Flash ROM３２に記憶されているローカルタイム情報３５，３７以外の所定の情報、例えば、上述のシステム設定情報３３および受信設定情報３４の更新時にも新たなバージョン情報３６を付与する構成としてもよい。この場合、バージョン情報３６を参照することで、システム設定情報３３、受信設定情報３４、およびローカルタイム情報３５，３７の各情報が最新か否かを判別することができる。
【００７９】
前記第２実施形態では、標準電波の種類と、入力装置４０への入力操作との両方で、位置情報を設定可能な構成を例示したが、本発明はこれに限定されない。例えば、入力装置４０への入力操作のみで位置情報を設定してもよい。
【００８０】
前記各実施形態では指針３を備える時計に適用していたが、指針を備えないデジタル時計に適用してもよい。また、本発明は、腕時計に限定されず、懐中時計でもよく、携帯して利用される各種の電子時計に広く利用できる。
【００８１】
また、本発明は、例えば、衛星信号や標準電波を受信する受信機能および時計機能を備える携帯電話機や、ナビゲーション機器などの各種電子機器にも広く利用できる。このような電子機器に本発明を適用した場合でも、表示装置にバージョン情報を表示させるため、ユーザーやメンテナンス担当者は、記憶装置に記憶されているローカルタイム情報のバージョンを容易に確認することができる。
【００８２】
また、位置情報衛星としては、ＧＰＳ衛星だけではなく、ガリレオ（ＥＵ）、ＧＬＯＮＡＳＳ（ロシア）、北斗（中国）などの他の全地球的航法衛星システム（ＧＮＳＳ）や、ＳＢＡＳなどの静止衛星や準天頂衛星などの時刻情報を含む衛星信号を発信する位置情報衛星でも良い。
【００８３】
また、本発明は、位置情報衛星の衛星信号を受信する受信部および標準電波を受信する受信部の両方を備えている電子時計や電子機器に適用してもよい。さらに、本発明は、衛星信号や標準電波を受信する受信部を備えておらず、手動操作により位置情報や時刻情報を設定可能に構成された電子時計や電子機器に適用してもよい。
【符号の説明】
【００８４】
１…電子時計、１Ａ…電波修正時計（電子時計）、３…指針、７…ボタン（入力部、操作部）、８…リューズ（入力部、操作部）、９…ＧＰＳ衛星、１０…ＧＰＳ装置（衛星信号受信部）、１０Ａ・・・受信装置（標準電波受信部）、２０…制御装置（ＣＰＵ）、２２，２２Ａ…時差情報取得手段（時差情報取得部）、２３，２３Ａ…時刻算出手段（時刻算出部）、２４…表示制御手段（表示制御部）、２５…地域設定手段（位置情報取得部）、３２…Flash ROM（記憶部）、３５，３７…ローカルタイム情報、３６…バージョン情報、４０…入力装置（入力部、操作部）、５０…表示装置、１０４…時刻情報取得部、１０５…位置情報取得部、３５１…領域情報（位置情報）、３５２，３７２…時差情報、３７１…位置情報。
【図１】
0006344128.tif 000002
【図２】
0006344128.tif 000003
【図３】
0006344128.tif 000004
【図４】
0006344128.tif 000005
【図５】
0006344128.tif 000006
【図６】
0006344128.tif 000007
【図７】
0006344128.tif 000008
【図８】
0006344128.tif 000009
【図９】
0006344128.tif 000010
【図１０】
0006344128.tif 000011
【図１１】
0006344128.tif 000012
【図１２】
0006344128.tif 000013